(57)【特許請求の範囲】
【請求項１】
油成分を含む排液が供給される処理槽を有するグリストラップであって、
前記処理槽内を仕切る複数の仕切りと、
前記処理槽内への前記排液を受け入れ、前記排液に含まれる塵芥を回収するバスケッ
トとを備え、
前記バスケットの下方は、前記処理槽内の前記排液内に位置し、
前記複数の仕切りの内、前記処理槽内の前記排液流れの一番上流に位置する仕切りは
、第一番目の仕切りであり、
前記処理槽を第一番目の仕切りで仕切られ、前記バスケットを収納する室は、第一の
室であり、
前記排液の油成分を吸着する油吸着材を前記第一の室の前記バスケットの外側の下方
に位置させた
ことを特徴とするグリストラップ。
【請求項２】
油吸着材は通水性の袋に内在されている
ことを特徴とする請求項１記載のグリストラップ。
【請求項３】
排液中の界面活性剤を吸着する界面活性剤吸着部材をバスケット内のダスターネットの外側の下に載置させている
ことを特徴とする請求項１又は請求項２記載のグリストラップ。
【発明の詳細な説明】
【技術分野】
【０００１】
本発明は、グリストラップに係り、特に、排液を油成分と非油成分とに良好に分離することができるグリストラップに関する。
【背景技術】
【０００２】
従来、ホテル、レストランなどの厨房からの排液には、多量の油成分が含まれ、冷却固形化して排水系統を詰まらせる危険があり、これら油成分および残渣を除去するための阻集器として、従来から厨房においては、グリストラップが設けられている。
このグリストラップにおいては、油成分を含む排液を比重差により、油成分と非油成分とに分離し、上層の油成分を油吸着体で吸着するようにしている（特許文献１参照）。
【先行技術文献】
【特許文献】
【０００３】
【特許文献１】特許第４９４０１５５号公報
【発明の概要】
【発明が解決しようとする課題】
【０００４】
しかしながら、上述のグリストラップにあっては、比重差により油成分と非油成分とに分離した後、上層の油成分を油吸着体で吸着するようにしたものであり、油成分と非油成分との分離を良好にするには改善の余地があった。
【０００５】
本発明は、上記事情を考慮してなされたもので、排液を油成分と非油成分とに良好に分離することができるグリストラップを提供することを目的とする。
【課題を解決するための手段】
【０００６】
請求項１記載のグリストラップは、油成分を含む排液が供給される処理槽を有するグ
リストラップであって、前記処理槽内を仕切る複数の仕切りと、前記処理槽内への前記排
液を受け入れ、前記排液に含まれる塵芥を回収するバスケットとを備え、前記バスケットの下方は、前記処理槽内の前記排液内に位置し、前記複数の仕切りの内、前記処理槽内の前記排液流れの一番上流に位置する仕切りは、第一番目の仕切りであり、前記処理槽を第一番目の仕切りで仕切られ、前記バスケットを収納する室は、第一の室であり、前記排液の油成分を吸着する油吸着材を前記第一の室の前記バスケットの外側の下方に位置させたものである。
【０００７】
また、請求項２記載のグリストラップは、請求項１記載のグリストラップにおいて、油吸着材は通水性の袋に内在されているものである。
【０００８】
また、請求項３記載のグリストラップは、請求項１又は請求項２記載のグリストラッ
プにおいて、排液中の界面活性剤を吸着する界面活性剤吸着部材をバスケット内のダスターネットの外側の下に載置せているものである。
【発明の効果】
【０００９】
請求項１記載のグリストラップによれば、排液の油成分を吸着する油吸着材を第一の室のバスケットの外側の下方に位置させたため、第一の室を通過する廃液は、油吸着材を通過し、廃液中の油成分は油吸着材で吸着され、しかも、処理槽内への排液の勢いは油吸着材により阻止されて減速し、排液中の油成分を浮上させ易くして、油成分と非油成分との分離を良好にすることができる。
【００１０】
また、請求項２記載のグリストラップによれば、上述の請求項１記載の発明の効果に加え、油吸着材は通水性の袋に内在されているため、処理槽内への排液の勢いにより油吸着材が分散するのを防ぎ、第一の室を通過する廃液が油吸着材を通過するようにして、排液中の油成分を油吸着材で吸着するようにすることができる。
【００１１】
界面活性剤が油吸着材に吸着されると、油吸着材に吸着された界面活性剤を介して排
液中の水を油吸着材が吸着する不具合を生じるが、
請求項３記載のグリストラップによれば、上述の請求項１又は請求項２記載の発明の
効果に加え、排液中の界面活性剤を吸着する界面活性剤吸着部材を油吸着材より排液流れ
の上流、つまり、界面活性剤吸着部材をバスケット内のダスターネットの外側の下に載置させているため、界面活性剤が油吸着材に吸着するのを防いで、上述の不具合を防ぐことができる。
【図面の簡単な説明】
【００１２】
【図１】図１は、本発明の一実施例のグリストラップの概略的断面図である。
【図２】図２は、図１の通水性の袋の一部を破断し、内在された油吸着材を露出させた状態を示す概略的斜視図である。
【図３】図３は、図１のグリストラップと異なる他の実施例のグリストラップの概略的断面図である。
【発明を実施するための形態】
【００１３】
本発明の一実施例のグリストラップを図面（図１及び図２）を参照して説明する。
図１に示すＧは厨房からの排液を貯留するグリストラップで、グリストラップＧは、油成分を含む排液が供給され、処理される処理槽１を有する。
【００１４】
処理槽１内は、複数の仕切りにより仕切られ、複数の仕切りの内、処理槽１内の前記排液流れの一番上流に位置する仕切りは、第一番目の仕切り２Ａであり、第一番目の仕切り２Ａに隣接する仕切りは第二番目の仕切り２Ｂである。第一番目の仕切り２Ａと第二番目の仕切り２Ｂとの間に、ガイド１１が位置し、ガイド１１は、後述する第１の室１Ａの排液を後述する第２の室１Ｂの上方へ案内する役目を有する。
【００１５】
また、図１に示す３はバスケットで、バスケット３は、処理槽１内への排液を受け入れ、前記排液に含まれる塵芥を回収するもので、排水孔を有する底壁、該底壁の周囲に立設し、排水孔を有する立設壁を有している。
【００１６】
処理槽１は第一番目の仕切り２Ａで仕切られ、バスケット３を収納する室は、第一の室１Ａである。
つまり、処理槽１内は、複数の仕切り２Ａ、２Ｂにより仕切られ、下水に向かって第１の室１Ａ、第２の室１Ｂ、第３の室１Ｃが形成されている。２１は下水に導く出口側排水通路である。
なお、第１の室１Ａ、第２の室１Ｂ、第３の室１Ｃの上方には、点検口Ｔ１、Ｔ２、Ｔ３、該点検口Ｔ１、Ｔ２、Ｔ３を開閉する蓋Ｆ１、Ｆ２、Ｆ３が、それぞれ設けられている。
【００１７】
また、図１に示す４は排液の油成分を吸着する油吸着材（例えば、松岡紙業 株式会社製  商品名ＥＣＯ２）で、油吸着材４は、第一の室１Ａのバスケット３の外の下方に位置している。油吸着材４は、望ましくは、排液の比重より軽く、排液において浮いているものが良い。
【００１８】
このように排液の油成分を吸着する油吸着材４を第一の室１Ａのバスケット３の外側の下方に位置させたため、第一の室１Ａを通過する廃液は、油吸着材４を通過し、排液中の油成分は油吸着材４で吸着され、しかも、処理槽１内への排液の流れの勢いは油吸着材４により阻止されて減速し、排液中の油成分を、例えば、第２の室１Ｂ、第３の室１Ｃで浮上させ易くして、比重差により油成分と非油成分との分離を良好にすることができる。    分離した後は、従来と同様、油吸着材で、排液の油成分を吸着するようにする。
なお、油吸着材４はそのままでも良いが、望ましくは、通水性の袋４１に内在されているのが良い。
油吸着材４が通水性の袋４１に内在されていると、処理槽１内への排液の勢いにより油吸着材４が分散するのを防ぎ、第一の室１Ａを通過する排液が油吸着材４を通過するようにして、排液中の油成分を油吸着材４で吸着するようにすることができる。
【００１９】
また、図１に示す５はダスターネットで、ダスターネット５は、バスケット３に取り付けられている。ダスターネット５の網目は、バスケット３の排水孔より小さく、排液に含まれる塵芥を回収するものである。
なお、廃液中の界面活性剤が油吸着材４に吸着されると、油吸着材４に吸着された界面活性剤を介して排液中の水を油吸着材４が吸着する不具合を生じるが、
次に示す実施例（図３参照）は、排液中の界面活性剤を吸着する界面活性剤吸着部材６を油吸着材４より排液流れの上流に位置させて、廃液中の界面活性剤が油吸着材４に吸着するのを防いで、上述の不具合を防ぐことができる。
【００２０】
即ち、界面活性剤吸着部材(例えば、活性炭)６は、排液中の界面活性剤を吸着する界
面活性剤吸着部材６を油吸着材４より排液流れの上流に位置させるが、
界面活性剤吸着部材６は、より望ましくは、図３に示すように、バスケット３内のダスターネット５の外側の下に載置される。
これは、排液中の塵埃をダスターネット５により除去し、排液中の塵埃が界面活性剤
吸着部材６に付着し、界面活性剤の吸着効果を低下させないためである。
なお、図３記載の本実施例においては、上述した実施例（図１〜図２）と同一部分に
同一符号を付して、その説明を省略する。
【符号の説明】
【００２１】
Ｇ      グリストラップ
１      処理槽
２Ａ    第一番目の仕切り
２Ｂ    第二番目の仕切り
３      バスケット
４      油吸着材
【要約】
【課題】
本発明の目的は、排液を油成分と非油成分とに良好に分離することができるグリストラップを提供するものである。
【解決手段】
グリストラップＧは、油成分を含む排液が供給される処理槽１を有するグリストラップＧであって、処理槽１内を仕切る複数の仕切り２Ａ、２Ｂと、処理槽１内への前記排液を受け入れ、前記排液に含まれる塵芥を回収するバスケット３とを備え、複数の仕切り２Ａ、２Ｂの内、処理槽１内の前記排液流れの一番上流に位置する仕切りは、第一番目の仕切り２Ａであり、処理槽１を第一番目の仕切り２Ａで仕切られ、バスケット３を収納する部位は、第一の室１Ａであり、前記排液の油成分を吸着する油吸着材４を第一の室１Ａのバスケット３の外の下方に位置させたものである。
【選択図】図１【図１】
0005829730.tif 000002
【図２】
0005829730.tif 000003
【図３】
0005829730.tif 000004